(57)【特許請求の範囲】
【請求項１】
上面開口の外ケース体(２)に対して着脱可能な交換用の内容器(１２)を装着してなり、
内容器(１２)は、外ケース体(２)内に収納させた胴部(１６)から肩部(１８)を介して口頸部(２０)を上外方へ起立した容器体(１４)と、口頸部(２０)に螺合させた操作筒(３４)を介して押下げヘッド(４８)付きのポンプ(Ｐ)を支持させた吐出器(３０)と、上記肩部及び操作筒(３４)を覆う肩カバー(５０)とからなり、
この肩カバー(５０)は、肩部(１８)と外ケース体(２)の上部との間に挿入され、かつ外ケース体に対して着脱可能に嵌合された基部(５２)を有し、この基部から、操作筒(３４)の上下巾のほぼ全体を囲むカバー筒(６４)を起立してなるリフィール容器において、
上記肩部(１８)は、その径方向の中間部に環状の係止筒部(２２)を有し、
上記肩カバーの基部(５２)は、係止筒部(２２)の外面に固定された固定筒(５４)の外面に付設したフランジ状頂壁(５６)を外ケース体(２)の上端に肩カバーの回動不能に係止させ、かつ当該フランジ状頂壁の一部に内方押込み可能な押釦(６０)を設け、この押釦(６０)の外面と外ケース体(２)の上部内面との間に、押釦の内方押込みにより解除可能な抜止め用係合手段(１０、６２)を形成したことを特徴とする、リフィール容器。
【請求項２】
上記外ケース体(２)を四角筒状とするとともに、この筒壁の上端部のうち上記押釦に対応する箇所に切欠き(６)を形成して、切欠き形成箇所を除く筒壁の上端面部分に、外周部に比べて内周部を低く設けた段差部(８)を付設し、
上記肩カバー(５０)のうち押釦(６０)を除くフランジ状壁部分の外周端全体が上記段差部(８)に嵌着するように形成し、かつ上記押釦(６０)が上記切欠き(６)を介して外ケース体(２)の外方へ突出するように形成したことを特徴とする、請求項１記載のリフィール容器。
【請求項３】
さらに上記容器体(１４)を四角筒状とし、かつ外ケース体(２)と容器体(１４)との各四角筒壁が相応する位置にあるときに相互に係合可能な位置合わせ手段(２６，６８)を、容器体(１４)の肩部(１８)の外面と肩カバー(５０)の内面とに形成したことを特徴とする、請求項２記載のリフィール容器。
【請求項４】
上記操作筒(３４)の下半部(３４ａ)を容器体(１４)の口頸部(２０)に螺合させるとともに、操作筒(３４)の上半部(３４ｂ)を押下げヘッド(４８)の周面を囲う案内筒部とし、この案内筒部の上端より上方へカバー筒(６４)を起立したことを特徴とする、請求項１から請求項３のいずれかに記載のリフィール容器。
【発明の詳細な説明】
【技術分野】
【０００１】
本発明は、リフィール容器に関する。
【背景技術】
【０００２】
この種容器体として、液体吐出器の装着筒の内周面と容器体の口頸部の外面とに第１ネジ構造を、また上記装着筒の外周面と下面開口の外ケース体の上端部の内面とに第１ネジ構造とは逆ネジである第２ネジ構造をそれぞれ設け、内容物を使い切ったときには、容器体を把持して液体吐出器を一定方向に回転させることで容器体を取り外し、新たな容器体を液体吐出器の装着筒に螺着できるようにしたものが知られている（特許文献１）。
【先行技術文献】
【特許文献】
【０００３】
【特許文献１】特開２００３−１７５９７１
【発明の概要】
【発明が解決しようとする課題】
【０００４】
特許文献１においては、液体吐出器に対して容器体を着脱して交換するようにしているが、内容物の種類によっては、交換作業中に内容物に埃などが入るのではないかと利用者が不安に感じる場合がある。
【０００５】
また交換作業において利用者が液体吐出器に対する外ケース体の螺脱方向に液体吐出器を回してしまう可能性がある。
【０００６】
リフィール容器の液体吐出器を間違った方向に回動させることを防止する手段としては、例えば液体吐出器の周面と他の部材の対向面とに開方向への回動を規制するラチェット機構を設けることが考えられる。
【０００７】
しかしながら、近年では多品種少量生産に対応できるように容器の主要部（液体吐出器）として一定の規格を採用することが要望されている。故にラチェットのような特別の機構を有しない吐出器を用いて、間違った方向への回動を防止できれば有利である。
【０００８】
本発明の第１の目的は、外ケース体に対して吐出器及び容器体を螺脱させて交換するタイプのリフィール容器において、交換時に間違った方向への回転操作を防止できる機構を有するものを提案することである。
【０００９】
本発明の第２の目的は、上記間違った回転操作を防止する機構として、容器体の肩部乃至その隣接箇所を回転させることができないような肩カバーを設け、吐出器には標準的な構造を採用できるようにしたものを提案することである。
【課題を解決するための手段】
【００１０】
第１の手段は、
上面開口の外ケース体２に対して着脱可能な交換用の内容器１２を装着してなり、
内容器１２は、外ケース体２内に収納させた胴部１６から肩部１８を介して口頸部２０を上外方へ起立した容器体１４と、口頸部２０に螺合させた操作筒３４を介して押下げヘッド４８付きのポンプＰを支持させた吐出器３０と、上記肩部及び操作筒３４を覆う肩カバー５０とからなり、
この肩カバー５０は、肩部１８と外ケース体２の上部との間に挿入され、かつ外ケース体に対して着脱可能に嵌合された基部５２を有し、この基部から、操作筒３４の上下巾のほぼ全体を囲むカバー筒６４を起立してなるリフィール容器において、
上記肩部１８は、その径方向の中間部に環状の係止筒部２２を有し、
上記肩カバーの基部５２は、係止筒部２２の外面に固定された固定筒５４の外面に付設したフランジ状頂壁５６を外ケース体２の上端に肩カバーの回動不能に係止させ、かつ当該フランジ状頂壁の一部に内方押込み可能な押釦６０を設け、この押釦６０の外面と外ケース体２の上部内面との間に、押釦の内方押込みにより解除可能な抜止め用係合手段１０、６２を形成している。
【００１１】
本手段は、図１、図１０、図１５に示す吐出器を含む内容器１２を交換可能なリフィール容器に関する。例えば外カバー体が装飾性の高いものである場合に有利である。リフィール容器では吐出器を再利用するものが多いので、本願容器の場合にも利用者が吐出器から容器体を取り外すものと誤認する可能性がある。そこで本手段では、容器体から吐出器を誤って螺脱させる操作を防ぐための肩カバー５０を設けることを提案する。肩カバーは、容器体の肩部及び吐出器の操作筒を囲み、利用者が操作筒に触れ得ないように設ける。
【００１２】
「操作筒」とは、容器体から吐出器を螺脱させる誤操作を行うときに吐出器に触れなければならない部分という程度の意味である。図示例の操作部は容器体への装着筒部と押下げヘッドの案内筒部とを含むが、案内筒部は省略してもよい。
【００１４】
また本手段では、図４に示す容器体の肩部に環状の係止筒部２２を設け、この係止筒部に肩カバーの基部５２を固定し、かつ基部と外ケース体との係合を釦の押込みで解除できるようにすることを提案する。これにより外ケース体と内容器との着脱箇所が吐出器の操作筒下方に位置することになり、既存の吐出器の構造をそのまま採用することができる。
【００１５】
第２の手段は、第１の手段を有し、かつ上記外ケース体２を四角筒状とするとともに、この筒壁の上端部のうち上記押釦に対応する箇所に切欠き６を形成して、切欠き形成箇所を除く筒壁の上端面部分に、外周部に比べて内周部を低く設けた段差部８を付設し、
上記肩カバー５０のうち押釦６０を除くフランジ状壁部分の外周端全体が上記段差部８に嵌着するように形成し、かつ上記押釦６０が上記切欠き６を介して外ケース体２の外方へ突出するように形成している。
【００１６】
本手段では、図６に示すように四角筒状の外カバー体の上端面に段差部８を設け、この段差部に肩カバーのフランジ状壁の外周端を係止させることを提案する。例えば図３に示す段差部の隅部Ａとフランジ状壁の角部Ｃとが係合することで、不適当な肩カバーの回転操作に対抗することができ、仮に過剰に回転力を加えたとしても、外カバー体からフランジ状壁が外れるので、利用者は間違った操作をしていることに気づくことが出来る。
【００１７】
第３の手段は、第２の手段を有し、かつさらに上記容器体１４を四角筒状とし、かつ外ケース体２と容器体１４との各四角筒壁が相応する位置にあるときに相互に係合可能な位置合わせ手段２６，６８を、容器体１４の肩部１８の外面と肩カバー５０の内面とに形成した。
【００１８】
本手段では、位置決め機構２６、６８を提案している（図１３、図１４参照）。これにより組立工程が容易となる。
【００１９】
第４の手段は、第１の手段から第３の手段のいずれかを有し、かつ上記操作筒３４の下半部３４ａを容器体１４の口頸部２０に螺合させるとともに、操作筒３４の上半部３４ｂを押下げヘッド４８の周面を囲う案内筒部とし、この案内筒部の上端より上方へカバー筒６４を起立している。
【００２０】
本手段では、図１５に示すように操作筒３４の上端よりも上方に延びるカバー筒６４を提案している。これにより良好な外観が得られる。
【発明の効果】
【００２１】
第１の手段に係る発明によれば、噴出器の操作筒３４を囲むカバー筒６４を設けたから、誤って噴出器を口頸部から螺脱させてしまうことを防止できる。
【００２２】
また第１の手段に係る発明によれば、噴出器との取付箇所である口頸部よりも下方の肩部に肩カバーの基部５２を固定し、かつ基部を外ケース体の上部に係合させたから、噴出器自体は普通の構造とすることができ、かつ当該係合を解除するための押釦を設けたから、使い捨て部分と再使用部分とを確実に分離できる。
【００２３】
第２の手段に係る発明によれば、肩カバーのフランジ状壁の外周端を外ケース体２の段差部８に嵌合したから、外ケース体と肩カバーとの回り止めを簡易な構成で実現できる。
【００２４】
第３の手段に係る発明によれば、外ケース体と容器体との各四角筒が対応する位置関係となったときに係合する位置合わせ手段２６，６８を設けたから、組み付け作業を簡易に行うことができる。
【００２５】
第４の手段に係る発明によれば、操作筒３４の上端の上方へカバー筒６４を起立したから、好適な外観が得られる。
【図面の簡単な説明】
【００２６】
【図１】本発明の第１実施形態に係るリフィール容器の半断面正面図である。
【図２】図１容器の半断面側面図である。
【図３】図１容器の平面図である。
【図４】図１に対応する要部拡大図である。
【図５】図２に対応する要部拡大図である。
【図６】図１容器の外ケース体の上部斜視図である。
【図７】図１容器の容器体の上部斜視図である。
【図８】図１容器の肩カバーの斜視図である。
【図９】図１容器の内容器の半断面図である。
【図１０】本発明の第２実施形態に係るリフィール容器の半断面正面図である。
【図１１】図１０容器の半断面側面図である。
【図１２】図１１の要部拡大図である。
【図１３】図１０容器の容器体の上部斜視図である。
【図１４】図１０容器の肩カバーの斜視図である。
【図１５】本発明の第３実施形態に係るリフィール容器の半断面正面拡大図である。
【図１６】図１５容器の半断面側面拡大図である。
【発明を実施するための最良の形態】
【００２７】
図１から図９は、本発明の第１の実施形態に係るリフィール容器を示している。この容器は、外ケース体２と内容器１２とで構成することができる。これら各部材はとくに断らない限り合成樹脂で形成することができる。
【００２８】
外ケース体２は、上下方向に長い上端開口で有底筒形のケースである。本実施形態では、外ケース体２を、多角筒形（四角形や図示の八角筒形）に形成している。外ケース体２の周壁４の上端面は、外周部よりも内周部を低くしている。そして周壁の前壁及び後壁に対応する外周部分の巾方向中間部には切欠き６を形成し、かつ切欠きを除く外周部と内周部との間に略ループ状の段差部８を形成している。
【００２９】
外ケース体２の上端部のうち切欠き６形成箇所の内面には凹状の係合手段１０を設ける。また当該箇所の外面には浅いくぼみを形成する。
【００３０】
内容器１２は、容器体１４と、吐出器３０と、肩カバー５０とで形成する。
【００３１】
上記容器体１４は、円筒状の胴部１６から肩部１８を介して口頸部２０を起立している。図４に示す如く、その肩部は巾広で、その径方向の略中間部を係止筒部２２に形成し、係合段部から口頸部の下端までの部分をほぼ平坦部２８に形成している。係止筒部の外面には第１凸条２４を周設している。上記容器体は交換用であるので胴部及び底部を肉薄に形成するとよい。
【００３２】
図示例の容器体１４は、その肩部に取り付けられた後述の肩カバーを、外ケース体の上部に係止することで、外ケース体２内に、当該外ケースの底壁及び周壁との間に間隙を存して吊り下げられている。
【００３３】
上記吐出器３０は、装着部材３２とシリンダ４０と作動部材４２とを有する。この作動部材のピストン部分とシリンダとで装着部材の一部とで、液体・泡などの液状物吐出用のポンプＰを形成している。
【００３４】
上記装着部材３２は、操作筒３４の上下方向中間部から内向きフランジ３６を突出し、この内向きフランジの内端に、上端側で連続したシリンダ保持用の二重筒３８を形成している。上記操作筒３４の下半部３４ａは、上記口頸部へ螺着させた装着筒とし、操作筒３４の上半部３４ｂは、後述の押下げヘッドを囲む案内筒としている。
【００３５】
上記シリンダ４０は、上記二重筒３８の間に上端部を挟持させて、容器体１４内へ垂下している。上端部を除くシリンダ部分と二重筒の内筒との各内面は略面一としてポンプ室を形成している。
【００３６】
上記作動部材４２は、上記ポンプ室内面を摺動可能な筒状ピストン４４から起立するステム４６の上端部に、前方開放のノズル４９を有する押下げヘッド４８を付設する。押下げヘッドの裏面と上記二重筒の上端との間には合成樹脂製又は金属製のコイルスプリングを介装している。また押下げヘッド４８のヘッド周壁４８ａは操作筒の上端部に重ねている。
【００３７】
上記肩カバー５０は、図４に示す如く、外ケース体２の上端部と肩部１８とに係合させた基部５２と基部から起立するカバー筒６４とで形成している。
【００３８】
上記基部５２は、上記係止筒部２２に嵌着した固定筒５４を有し、この固定筒の上部に、図８の如く円形の内周端と四角形の外周端とを有するフランジ状頂壁５６を付設している。このフランジ状頂壁の内周端を上記平坦部２８に係止させるとともに、固定筒の下部に付設した横リブを係止筒部の第１凸条２４の下面に圧接させている。またフランジ状頂壁５６は、図３に示すように、外ケース体の段差部８に対して、フランジ状頂壁の角部Ａと段差部の隅部Ｃとを合致させて係止させている。
【００３９】
上記フランジ状頂壁５６の前部及び後部には、図３に示す如く各前縁乃至後縁から固定筒５４に至る平面視矩形の切割り５８を穿設し、この切割り内に押釦６０を設ける。図示例の押釦は、図５に示す如く、固定筒に左右両側で連続する垂直な押板６０ｂを外ケース体の周壁の前壁及び後壁に圧接するとともに、この押板の上端から切欠き６を介して水平板状の押込み部６０ａを外方突出している。各押板の外面には、前述の凹状の係合手段１０と嵌合可能な凸状の係合手段６２を付設する。
【００４０】
上記カバー筒６４は、固定筒を上方に延長するように、固定筒より小内径の肉厚の筒体として起立している。本実施形態のカバー筒６４は、上端部を除く操作筒部分を覆うように起立している。図示例では、カバー筒の上部はやや内方に弯曲しており、カバー筒の内面と操作筒の外面との間には間隙を設けている。またカバー筒はノズル４９付きの押下げヘッドを挿通可能な内径を有する。
【００４１】
また図示例では、図１に示すようにカバー筒６４及び吐出器の上部を覆うオーバーキャップ８０を設けている。
【００４２】
上記構成において、本願容器を組み立てるときには、まずシリンダ４０に装着部材３２と作動部材４２とを順次組み付け、この装着部材を容器体１４の口頸部に嵌合して内容器１２を組み立てる。そしてこの内容器の容器体部分を外ケース体２内に収納すると、抜止め用係合手段１０、６２が相互に係合する。
【００４３】
また本願容器を使用するときにはオーバーキャップを外して押下げヘッドを押し下げるとよく、そして内容物を使い切ったときには、押釦６０を内方に押込み、抜止め用係合手段１０、６２を解除するとよい。これにより内容器１２を外ケース体２から取り外すことができ、新たな内容器を交換することができる。
【００４４】
上記作業において、ポンプＰごと内容器１２を交換するので、利用者は安心して新たな内容器に交換することができる。また利用者が誤って吐出器を容器体から螺脱させようとしてもカバー筒に遮られて吐出器の操作筒を回転させることができない。
【００４５】
図１０から図１４は、本発明の第２実施形態に係るリフィール容器を示している。本実施形態は、図１１に示すように容器体の係止筒部２２と肩カバー５０とに、相互に係合する凹凸状の位置合わせ手段２６，６８を設けたものである。
【００４６】
具体的には、容器体の胴部１６を外ケース体の周壁に相応する多角筒（図示例では四角筒）形状とし、これら多角形の各辺が平行であるときに上記位置合わせ手段２６，６８が相互に係合するように形成している。
【００４７】
図示例では、係止筒部２２は、図１３に示すように、第１凸条２４を縦断する凹状の位置合わせ手段２６を有している。また、肩カバー５０は、図１４に示すようにカバー筒を固定筒と同程度の厚さとするとともに、カバー筒の内周面の前後及び左右の二箇所に縦リブ６６を縦設している。そして前後の縦リブ６６を、フランジ頂壁の下方へ延長して、この延長部分を凸状の位置合わせ手段６８としている。
【００４８】
図１５から図１６は、本発明の第３実施形態に係るリフィール容器を示している。本実施形態では、カバー筒６４を操作筒の上端より高く起立しており、かつカバー筒の上端部６４ａを操作筒の上半部よりも小内径に形成している。
【００４９】
本実施形態によれば、操作筒全体をカバー筒６４で覆うので外観がシンプルとなって体裁がよい。もっとも組立作業においては、カバー筒の上端が小径であるため、押下げヘッド４８を除く吐出器３０を容器体１４に取り付け、次に肩カバー５０を取り付けた後に、押下げヘッド４８を取り付ける必要がある。
【符号の説明】
【００５０】
２…外ケース体  ４…周壁  ６…切欠き  ８…段差部  １０…係合手段
１２…内容器  １４…容器体  １６…胴部  １８…肩部  ２０…口頸部
２２…係止筒部  ２４…第１凸条  ２６…位置合わせ手段  ２８…平坦部
３０…吐出器  ３２…装着部材  ３４…操作筒  ３４ａ…下半部  ３４ｂ…上半部  
３６…内向きフランジ  ３８…二重筒  ４０…シリンダ
４２…作動部材  ４４…筒状ピストン  ４６…ステム  ４８…押下げヘッド
４８ａ…ヘッド周壁  ４９…ノズル  
５０…肩カバー  ５２…基部  ５４…固定筒  ５６…フランジ状頂壁  ５８…切割り
６０…押釦  ６０ａ…押込み部  ６０ｂ…押板  ６２…係合手段
６４…カバー筒  ６４ａ…同上端部  ６６…縦リブ  ６８…位置合わせ手段
８０…オーバーキャップ
Ａ…角部  Ｃ…隅部  Ｐ…ポンプ
【図１】
0005665176.tif 000002
【図２】
0005665176.tif 000003
【図３】
0005665176.tif 000004
【図４】
0005665176.tif 000005
【図５】
0005665176.tif 000006
【図６】
0005665176.tif 000007
【図７】
0005665176.tif 000008
【図８】
0005665176.tif 000009
【図９】
0005665176.tif 000010
【図１０】
0005665176.tif 000011
【図１１】
0005665176.tif 000012
【図１２】
0005665176.tif 000013
【図１３】
0005665176.tif 000014
【図１４】
0005665176.tif 000015
【図１５】
0005665176.tif 000016
【図１６】
0005665176.tif 000017